(57)【要約】【課題】メール受信機能を有し、折り畳み状態でメールを受信した場合に、利用者により開状態にされると、利用者がメール閲覧操作を行わなくても上記メールをＬＣＤに表示するなどして利用者に提示する携帯端末を提供する。また、通話（通信）機能を有し、折り畳み状態で通話（通信）の着信があった場合に、利用者により開状態にされると、利用者が通話操作を行わなくても、通信相手先と通話状態へ遷移する携帯端末を提供する。【解決手段】折り畳み状態でメールを受信した後に開いた状態へ遷移すると、メールを表示部に表示する。また、折り畳み状態でリアルタイム通信データの着信中に開いた状態へ遷移すると、通信相手先と通信可能な状態に遷移する。【選択図】図１
2009201157.tif 000002
【特許請求の範囲】
【請求項１】
折り畳み状態で着信があった場合に開いた状態へ遷移すると、着信内容に応じた動作を行うことを特徴とする折り畳み式携帯端末。
【請求項２】
折り畳み状態で所定の通信相手先から着信があった場合に開いた状態へ遷移すると、着信内容に応じた動作を行うことを特徴とする折り畳み式携帯端末。
【請求項３】
折り畳み状態で着信があった場合に通信相手先の情報を利用者に通知し、開いた状態に遷移すると、着信内容に応じた動作を行うことを特徴とする折り畳み式携帯端末。
【請求項４】
折り畳み状態でメールを受信した後に開いた状態へ遷移すると、前記メールを表示部に表示することを特徴とする折り畳み式携帯端末。
【請求項５】
折り畳み状態で所定の通信相手先からデータを受信した後に開いた状態へ遷移すると、前記データを使用可能な機能を選択し、当該機能により前記データを使用することを特徴とする折り畳み式携帯端末。
【請求項６】
折り畳み状態でリアルタイム通信データの着信中に開いた状態へ遷移すると、通信相手先と通信可能な状態に遷移することを特徴とする折り畳み式携帯端末。
【請求項７】
折り畳み状態で所定の通信相手先からリアルタイム通信データの着信中に開いた状態へ遷移すると、通信相手先と通信可能な状態に遷移することを特徴とする折り畳み式携帯端末。
【発明の詳細な説明】
【技術分野】
【０００１】
本発明は折り畳み式の携帯端末に関し、特に、着信時および着信後に折り畳み状態から通常状態へ遷移した場合に、着信内容に応じた動作を行う携帯端末に関する。
【背景技術】
【０００２】
従来、折り畳み式の携帯電話機等の携帯端末が普及している。このような折り畳み式の携帯端末は、通常、折り畳まれた状態で待機し、開かれた状態で使用される。以下、図２に示すような２分割で折り畳み可能な携帯電話を例にとり説明する。この携帯電話は、図２（Ａ）の『折り畳み状態』では、ＬＣＤ４やテンキー部５を使用できない。つまり、ＬＣＤ部４は、上筐体２１上の折り畳み時に下筐体２０と接する面に設けられているため、折り畳み時には利用者が見ることができない。同様に、テンキー部５は、下筐体２０の上筐体２１と接する面に設けられているため、折り畳み時には使用できない。従って、利用者は、図２に示す携帯電話の通話機能やメール機能を使用するためには、携帯電話を図２（Ａ）の『折り畳み状態』から図２（Ｂ）に示す『開いた状態』状態へ遷移させる必要がある。すなわち、下筐体２０と上筐体２１とをヒンジ部２２を中心に開き、通話機能やメール機能等を使用するための利用者インタフェースであるテンキー部５やＬＣＤ部４等を外部に露出させる必要がある。
【０００３】
以下、このような従来の携帯端末の動作例および操作方法などを、図６を参照しながら詳述する。図６には、従来の携帯電話が折り畳み状態でメールを受信した場合に、利用者が受信したメールを閲覧するまでの動作および操作を説明するためのフローチャートを示す。なお、この携帯電話は、図２に示す上筐体２１と下筐体２０がヒンジ部２２で接続する構造を有する。また、図１に示すように、無線部１と、制御部２と、音声信号処理部３と、ＬＣＤ部４と、テンキー部５と、レシーバ／マイク部６と、ＲＯＭ部７と、ＲＡＭ部８と、開閉検出部９とを有する。そして、電源が投入されており、折り畳み状態で待機している（待ち受け状態である）ものとする。
【０００４】
制御部２は、携帯電話１１が折り畳み状態であり、かつ、待ち受け状態であるか監視する（ステップＳ１１）。つまり、携帯電話１１が折り畳まれて待機中であれば、例えば、ＬＣＤ４には何も表示する必要がないため、ＬＣＤ４の電源を切断することもできる。言い換えれば、この状態では、開いた状態へ遷移するか否か監視すると共に網側からの着信があるか否かを監視さえすれば他の制御等を行う必要がない。従って、待機電力を極めて少ないものにできる。
【０００５】
待ち受け時に網から携帯電話１１宛のパケット着信通知を受信すると、無線部１にメール本文の受信処理を行わせる（ステップＳ１２）。メール本文の受信終了後、レシーバ／マイク部６に着信音を鳴動させ、利用者にメール着信を知らせる（ステップＳ１３）。
利用者は、着信音を確認すると、通常、上記メールを閲覧する。すなわち、制御部２は、利用者にメール着信を通知することで、携帯電話１１を開いた状態（開状態）に遷移させる（ステップＳ１４）。なお、携帯電話１１が開状態に遷移した後、ＬＣＤ部４に「メールが到着した」旨のメッセージ（メール受信メッセージ）を表示させてもよい（ステップＳ１５）。そして、利用者からテンキー部５を介してメール本文のＬＣＤ４への表示指示が入力されると（ステップＳ１６）、ＬＣＤ部４に受信メールの本文を表示する。
【発明の概要】
【発明が解決しようとする課題】
【０００６】
しかしながら、上記従来技術によれば、ユーザは、携帯端末を開く作業と、テンキー部５などのユーザインタフェースを用いて所定の指示を端末に入力する作業を行わなければ、携帯端末に着信内容に応じた動作を行わせることができない。つまり、利用者は、着信があったことを知得してから受信メールを閲覧するまでに多くの工程／時間を要する。
特に、音声通話を受信した場合には、この問題は顕著になる。通常、通信相手方は、自らが使用している電話から携帯電話１１へ着信通知を送出してから一定の時間内に通話状態にならないと、電話を切ってしまう。つまり、利用者が携帯電話１１が鳴動を開始してから一定の時間内に通話状態にしないと（電話をとらないと）、上記電話に着信通知の送出を停止させる（受話器を置く）。従って、利用者は、携帯電話を音声着信の通知を受けてから限られた時間内に上記通信相手方との通話状態へ遷移させるため、テンキー部５などを用いて通話操作を行う必要がある。
【０００７】
本発明は、上記問題点に鑑みなされたものであり、折り畳み状態で着信があった場合に、利用者により開状態へ遷移されると、この着信内容に応じた動作を行う折り畳み式の携帯端末を提供することを目的とする。
特に、メール受信機能を有し、折り畳み状態でメールを受信した場合に、利用者により開状態にされると、利用者がメール閲覧操作を行わなくても上記メールをＬＣＤに表示するなどして利用者に提示する携帯端末を提供することを目的とする。
また、通話（通信）機能を有し、折り畳み状態で通話（通信）の着信があった場合に、利用者により開状態にされると、利用者が通話操作を行わなくても、通信相手先と通話状態へ遷移する携帯端末を提供することを目的とする。
【課題を解決するための手段】
【０００８】
かかる目的を達成するために、請求項１記載の折り畳み式携帯端末の発明は、折り畳み状態で着信があった場合に開いた状態へ遷移すると、着信内容に応じた動作を行うことを特徴とする。
【０００９】
請求項２記載の折り畳み式携帯端末の発明は、折り畳み状態で所定の通信相手先から着信があった場合に開いた状態へ遷移すると、着信内容に応じた動作を行うことを特徴とする。
【００１０】
請求項３記載の折り畳み式携帯端末の発明は、折り畳み状態で着信があった場合に通信相手先の情報を利用者に通知し、開いた状態に遷移すると、着信内容に応じた動作を行うことを特徴とする。
【００１１】
請求項４記載の折り畳み式携帯端末の発明は、折り畳み状態でメールを受信した後に開いた状態へ遷移すると、メールを表示部に表示することを特徴とする。
【００１２】
請求項５記載の折り畳み式携帯端末の発明は、折り畳み状態で所定の通信相手先からデータを受信した後に開いた状態へ遷移すると、データを使用可能な機能を選択し、機能によりデータを使用することを特徴とする。
【００１３】
請求項６記載の折り畳み式携帯端末の発明は、折り畳み状態でリアルタイム通信データの着信中に開いた状態へ遷移すると、通信相手先と通信可能な状態に遷移することを特徴とする。
【００１４】
請求項７記載の折り畳み式携帯端末の発明は、折り畳み状態で所定の通信相手先からリアルタイム通信データの着信中に開いた状態へ遷移すると、通信相手先と通信可能な状態に遷移することを特徴とする。
【発明の効果】
【００１５】
以上の説明から明らかなように、携帯端末は、折り畳まれた状態で着信があると、利用者に開かれたことを契機として、着信内容にあわせた動作を行う。
例えば、この携帯端末は、メールの着信があった場合に、折り畳まれた状態から開かれると、このメールを表示部に表示する。従って、利用者は、携帯端末を開く作業を行うだけでメールを閲覧することができ、メール閲覧操作などを必要とされない。
また、携帯端末は、音声着信があった場合に、折り畳まれた状態から開かれると、オフフック状態になる。すなわち、通信相手先と通話可能な状態にするために、利用者には、携帯端末を開く作業のみが要求され、通話開始のための操作（作業）が要求されない。
従って、利用者は、携帯端末に対して、折り畳み時の着信内容に応じたメール表示指示等の動作指示を、折り畳み状態から開状態にするだけで与えることができる。従って、このような動作指示を与えるためにユーザインタフェースを用いて所定の操作を行う必要がなくなる。従って、利用者の操作性を向上させることができる。
つまり、携帯端末が折り畳まれた状態で音声着信あるいはメールを受信した場合には、利用者は、音声通話のためのオフフック操作やメール閲覧等の操作を行う事なく、携帯端末を開く操作のみで、音声通話や受信メールの閲覧など着信内容に応じた動作を携帯端末行わせることが可能となる。
【図面の簡単な説明】
【００１６】
【図１】折り畳み式携帯電話の内部構成の一例を示す。
【図２】図１の携帯電話１１の外観の一例を示す。（Ａ）には、携帯電話１１が折り畳まれた状態の外観を示す。（Ｂ）には、携帯電話１１が開かれた状態の外観を示す。
【図３】図１の開閉検出部９の動作例を示す。（Ａ）には、携帯電話１１が折り畳まれた場合の開閉検出部９の様子を示す。（Ｂ）には、携帯電話１１が開かれた場合の開閉検出部９の様子を示す。
【図４】本発明による携帯電話が折り畳み状態である場合に音声着信があった場合の動作フローおよび利用者の操作フローの例を示す。
【図５】本発明による携帯端末が折り畳み状態である場合にメール着信があった場合の動作フローおよび利用者の操作フローの例を示す。
【図６】従来の携帯電話が折り畳み状態である場合にメール着信があった場合の動作フローおよび利用者の操作フローの例を示す。
【発明を実施するための形態】
【００１７】
以下、本発明に係る無線携帯端末を、実施の形態によって詳細に説明する。
本発明に係る無線携帯端末は、着信時および着信後に、図２（Ａ）に示すような折り畳み状態から図２（Ｂ）に示すような通常状態（無線携帯端末を開いた状態）へ遷移すると、着信内容に応じた動作を行う。言い換えれば、折り畳み状態時に着信があった場合に、利用者により開かれたことを契機にして所定の動作を行う。
【００１８】
例えば、音声着信時（音声通話の着信時）に筐体を開かれると、通信相手方と通話可能にする。つまり、音声着信などのリアルタイム通信データの着信中に折り畳み状態から開状態になると、利用者が通信操作を行わなくても通信相手先と通信可能な状態にする。
また、メールなどのデータ（プログラムを含む）の着信時または着信後に折り畳み状態から開状態へ遷移すると、当該データに応じた動作を行う。つまり、データを受信した後に開いた状態へ遷移すると、当該データを使用するための機能を選択し、この機能により上記データを使用する。例えば、画像データを受信した場合、当該画像データを表示部に表示するための機能を選択してこの画像データを表示部に表示する。特に、データがメールであった場合には、このメールを表示部に表示する。また、プログラムを受信した場合には、このプログラムを起動する。
このように、利用者は、着信があったときに携帯端末を折り畳み状態から開状態へ遷移させることで、携帯電話に着信内容に応じた機能を起動させることができる。
【００１９】
なお、着信時に、データやプログラムを送信してきた相手方（通信相手方）に関する情報を提示してもよい。つまり、利用者は通信相手方を把握した上で、携帯端末を開くか否か、すなわち着信内容に応じた動作を携帯端末に行わせるか決定できるようにしてもよい。
また、予め利用者が定めた通信相手方からの着信があった場合にのみ前記した動作を行うようにしてもよい。および／あるいは、予め利用者が定めた通信相手方からの着信があった場合には前記した動作を行わないようにしてもよい。
また、データやプログラムを使用可能な機能を起動する前に、このデータやプログラムのいわゆるウィルスチェックを行ってもよい。
以下に好適な実施の形態について詳述する。
【００２０】
（第１の実施の形態）
第１の実施の形態では、折り畳み式携帯端末は、折り畳み式携帯電話を例にとる。つまり、通信相手方と少なくとも音声通話可能な（通話機能を有する；リアルタイム通信可能な）端末を例にとる。なお、通話機能としては、例えば、日本における標準的な仕様であるＲＣＲ−ＳＴＤ２７相当の無線電話（通話）通信機能を採用できるが、これに限定されるものではない。
【００２１】
図１に本発明を実現する可能な携帯電話１１のブロック図の一例を示す。
携帯電話１１は、ヒンジ構造により折り畳み可能な形態である。無線部１と、制御部２と、音声信号処理部３と、テンキー部５と、レシーバ／マイク部６と、ＲＯＭ部７と、ＲＡＭ部８と、開閉検出部９とを有する。また、ＬＣＤ部４を有していてもよい。
無線部１は、無線回線を使用して所定のプロトコルに従いデータを送受信する。
制御部２は、予めＲＯＭ部７に書き込まれたプログラムにより各構成要素を制御する。
音声信号処理部３は、レシーバ／マイク部６のマイクより吹き込まれた音声信号をデジタル信号に変換する。また、受信したデジタル信号をレシーバ／マイク部６のスピーカへ送出する音声信号に変換する。
ＬＣＤ４は、制御部２の指示のもと、利用者に対して各種メッセージ等の情報を表示する。
テンキー部５は、利用者より各種情報を入力されたり通話時における各種指示が入力されるユーザインタフェースである。
レシーバ／マイク部６は、音声信号処理部３にてデジタル信号から変換された音声信号を出力する。また、音声信号を入力する。さらに、音声着信時やメール着信時に着信音を鳴動する。
ＲＯＭ部７は、制御部２が動作する為の携帯電話１１のプログラムが予め書き込まれており、通常の利用者の操作では書き換えが不可能である。
ＲＡＭ部８は、制御部２が各種動作を行う際の作業用データを一時格納する。また、利用者からの設定情報を一時保存する。
開閉検出部９は、携帯電話が折り畳まれた状態か否か検出する。
【００２２】
図２に、携帯電話１１の外観の一例を示す。
図２（Ａ）には、携帯電話１１が折り畳まれた状態の外観を示す。このように、携帯電話１１は、下筐体２０と上筐体２１がヒンジ部２２を軸として２つ折りに折り畳みが可能な構造を有する。なお、本発明に係る携帯端末は、折り畳めれば足り、ヒンジ構造や２つ折り構造を採用するもの以外にも適用できる。つまり、通常使用する際に開いて使用する形態端末であればよい。携帯端末１１は、少なくとも通話を行う場合に開いた状態であればよい。
【００２３】
図２（Ｂ）には、開かれた状態での携帯電話１の外観を示す。図２（Ａ）および（Ｂ）からも明らかなように、携帯電話１１は、折り畳み状態から開いた状態へは、下筐体２０と上筐体２１とをヒンジ部２２を軸としてお互いに引くにより遷移する構造を有する。また、図２（Ｂ）に示すように、テンキー部５を下筐体２０の上筐体２１と接する面に設ける。同様に、ＬＣＤ部４を上筐体２１の下筐体２０と接する面に設けることが好ましい。このように、テンキー部５やＬＣＤ部４をいわゆる内側に設けることで、携帯電話１１を使用しない場合、例えば待機中などに折り畳んだ状態にすれば、ＬＣＤ４やテンキー部５が傷つくことなどが少ない。また、折り畳み機構を有しない携帯電話ではＬＣＤ部４に常時何らかの表示を出すが、折り畳み式携帯電話では折り畳み時に表示を出す必要がないため、待機電力が極めて少なくなるなどの利点がある。従って、以下の説明では、利用者は、携帯電話１１を折り畳み状態で保管／携帯するものとする。
【００２４】
図３は、携帯電話１１の開閉検出機能、すなわち開閉検出部の動作例を説明するための図である。開閉検出部９は、開閉検出用入力ライン３１を介して制御部２にと接続する。制御部２は、開閉検出ライン３１の電圧を常時監視する。より詳しくは、開閉検出部９は、折り畳み時と開いた状態とで開閉検出部入力ライン３１から制御部２に入力する電圧をかえる。例えば、折り畳み時には図３（Ａ）に示すように、開閉検出部９内のスイッチを入れる。また、開いた状態では図３（Ｂ）に示すように、開閉検出部９内のスイッチを切る。これにより、制御部２は、開閉検出用入力ライン３１が０Ｖであれば携帯電話１１が折り畳み状態にあると判断できる。また、３Ｖであれば、携帯端末１１が開かれた状態にあると判断できる。
言い換えれば、携帯電話１１が折り畳み状態で、電源が投入されて待ち受け状態であるもの場合、開閉検出部９は、携帯電話１１が閉状態であると認識すると、開閉検出用入力ライン３１を０Ｖにする（図３（ａ））。また、利用者が携帯電話１１を使用するために開いた場合、すなわち携帯電話１１が閉状態から開状態になったことを認識した場合、開閉検出用入力ライン３１を０から３Ｖに変化させる。これにより、制御部２は携帯電話１１の状態が開状態になったことを認識する。このように、制御部２は、携帯電話１１が閉状態であるか開状態であるかを認識する。
なお、開閉検出部９は、公知の方法を用いて携帯電話１１が折り畳み状態であるか開いた状態であるか検出すればよい。
【００２５】
以下、折り畳み状態（閉状態）に音声着信があった場合の携帯電話１１の動作を、図４のフローチャートを参照しながら説明する。
前記したように、制御部２は、携帯電話１１が折り畳み状態であるか否かを開閉検出部９を介して常時監視する（ステップＳ１）。この段階では、携帯電話１１は折り畳み状態とする。そして、この状態で、網から携帯電話１１宛に音声着信通知が入力される（ステップＳ２）。
【００２６】
制御部２は、無線部１を介して音声着信通知を認識すると、レシーバ／マイク部６に着信音を鳴動させ、利用者に対して着信を通知する（ステップＳ３）。
利用者は、着信音により着信を確認して通話を行う場合には、通話を行うために携帯電話１１を開状態にする（ステップＳ４）。開閉検出部９は、携帯電話１１が開状態になると、開閉検出用入力ライン３１の電圧を３Ｖにする。これにより、制御部２は、携帯電話１１が開状態になったことと認識する。
【００２７】
制御部２は、携帯電話１１が閉状態から開状態に遷移したことを検知し、通信相手方からの着信が続いている場合には、通信相手先（発信元端末）に対して網経由で音声通信着信通知に対する音声着信応答を返信する。つまり、レシーバ／マイク部６や無線部１などを通常の通話が可能な状態にする（ステップＳ５）。
これにより、利用者は、着信があった場合に、携帯電話１１を折り畳んだ状態から開いた状態にするだけで通信相手先と通話可能となる。
【００２８】
（第２の実施の形態）
第２の実施の形態では、無線端末１１は、無線パケット（データ）通信機能を用いたｅ−ｍａｉｌの送受信が行える装置とする。
携帯端末１１は、少なくとも無線部１と、制御部２と、ＬＣＤ部４と、テンキー部５と、ＲＯＭ部７と、ＲＡＭ部８と、開閉検出部９とを有する。また、音声信号処理部３およびレシーバ／マイク部６を有し、前記同様に音声通話も行えるようにしてもよい。
以下、携帯電話１１が折り畳み状態中にメールを着信した場合の動作を、図５のフローチャートを参照しながら説明する。
【００２９】
携帯端末１１は、前記したように、電源が投入され待ち受け状態かつ折り畳み（閉）状態である。従って、制御部２は、開閉検出用入力ライン３１を介して開閉検出部９から携帯端末が折り畳まれていることを認識する（ステップＳ６）。上記例では、開閉検出部９は、開閉検出用入力ライン３１を０Ｖに設定することで、制御部２に携帯端末１１が折り畳まれた状態であることを認識させる。
ここで、相手側端末より網経由で携帯電話１１宛のパケット着信通知を受信し、引き続きメール本文を受信するものとする（ステップＳ７）。メールの受信方法は、従来公知の方法を採用できる。
【００３０】
制御部２は、メールを受信すると、レシーバ／マイク部６に着信音を鳴動させ利用者に対して着信を知らせる（ステップＳ８）。
利用者は、着信音によりメールを着信したことを知得すると、当該メールの閲覧を欲する場合、携帯端末１１を折り畳んだ状態から開いた状態にする（ステップＳ９）。
【００３１】
制御部２は、折り畳み状態のときにメールを受信した後、利用者に開いた状態にされると、受信したメールをＬＣＤ部４上に表示する（ステップＳ１０）。これにより、利用者は、受信メールを閲覧することが可能になる。
【００３２】
以上、この発明の好適な実施の形態を説明したが、上述の実施の形態はこの発明の説明のための例示であって、この実施の形態のみにこの発明の範囲を限定する趣旨ではない。当業者は、この発明の要旨を逸脱することなく、種々の変形、改良、修正、簡略化などを上記実施の形態に加えた種々の他の形態でもこの発明を実施することができる。例えば、携帯端末を開いた際に音声通話および／またはメール閲覧動作を行うか否かの設定を有効とするか否かを設定できるようにしてもよい。また、上記実施の形態では利用者に音により着信を通知したが、他の方法により着信を通知してもよく、着信を通知しなくてもよい。また、データ内容や通信相手先ごとに着信音や着信方法を変更（設定）するようにしてもよい。また、上述したような通信相手先に応じてこのような機能を設定可能とすることなどは当然に可能である。また、複数の機能、例えばメール機能と通話機能とを有する携帯端末は、それぞれの機能ごとに前記した動作を行うか設定してもよい。この場合では、例えば、着信時および／または着信後に折り畳み状態から開いた状態へ遷移した場合に、メール機能のみまたは通話機能のみが着信内容に応じた動作を行うように設定することもできる。
【００３３】
また、前記したように通信相手先を利用者に通知する場合には、利用者が開いた状態へ遷移する際または前に、携帯端末が開いた状態へ遷移したことをトリガにして着信内容に応じた動作を行わせないように指示可能に構成することが好ましい。例えば、図２（Ａ）の折り畳まれた状態で押下可能なボタンを携帯端末に設け、携帯端末は、当該ボタンが押下された後に開いた状態へ遷移した場合には着信内容に応じた動作を行わないようにすればよい。つまり、利用者は、受信したデータ（プログラムを含む）の使用を欲しない場合には、上記ボタンを押下してから携帯端末を開けばよい。ただし、通信相手先を通知しない場合であってもこのような機能を有していてもよい。
通信相手先や着信したデータの種類（音声通話かメールかなど）を利用者に通知する方法としては、前記したような着信音による通知方法以外にも任意の方法が採用できる。例えば、図２（Ａ）の折り畳み状態であっても外部から目視により確認可能な表示部を設け、当該表示部に通信相手先やデータの種類などを表示してもよい。
上記実施の形態を実現するためには、本出願人がすでに出願した全ての発明を用いることができる。
【符号の説明】
【００３４】
１    無線部
２    制御部
３    音声信号処理部
４    ＬＣＤ部
５    テンキー部
６    レシーバ／マイク部
７    ＲＯＭ部
８    ＲＡＭ部
９    開閉検出部
１１    携帯電話
２０    下筐体
２１    上筐体
２２    ヒンジ部
３１    開閉検出ライン
【図１】
2009201157.tif 000003
【図２】
2009201157.tif 000004
【図３】
2009201157.tif 000005
【図４】
2009201157.tif 000006
【図５】
2009201157.tif 000007
【図６】
2009201157.tif 000008